(57)【特許請求の範囲】
【請求項１】
基部から延設した複数の櫛歯を並設した複数の櫛歯群を、各櫛歯の並設方向と各櫛歯の延設方向とにそれぞれ直交する各櫛歯の幅方向へ互いに並設し、互いに隣接する両櫛歯群の櫛歯にあっては頭髪を掴むことができる挟持面を幅方向で互いに面して設けたことを特徴とする櫛。
【請求項２】
基部から延設した複数の櫛歯を並設した複数の櫛歯群を、各櫛歯の並設方向と各櫛歯の延設方向とにそれぞれ直交する各櫛歯の幅方向へ互いに溝をあけて並設したことを特徴とする櫛。
【請求項３】
基部から延設した複数の櫛歯を並設した複数の櫛歯群を、各櫛歯の並設方向と各櫛歯の延設方向とにそれぞれ直交する各櫛歯の幅方向へ互いに並設し、この櫛歯群の櫛歯は幅方向へ撓み得る弾性を有していることを特徴とする櫛。
【請求項４】
基部から延設した複数の櫛歯を並設した複数の櫛歯群を、各櫛歯の並設方向と各櫛歯の延設方向とにそれぞれ直交する各櫛歯の幅方向へ互いに挟持溝をあけて並設し、互いに隣接する両櫛歯群の櫛歯にあっては頭髪を掴むことができる挟持面を幅方向で挟持溝をあけて互いに面して設け、この櫛歯群の櫛歯は幅方向へ撓み得る弾性を有していることを特徴とする櫛。
【請求項５】
前記各櫛歯群のうち各櫛歯の幅方向で最も外側となる両櫛歯群は、櫛歯群の櫛歯を幅方向で挟持溝側へ撓ませる場合に指を当てがうことができる押圧操作部を有していることを特徴とする請求項４に記載の櫛。
【請求項６】
前記櫛歯群は各櫛歯の幅方向で互いに面して一対並設されていることを特徴とする請求項１から請求項５のうちいずれかの請求項に記載の櫛。
【発明の詳細な説明】
【０００１】
【発明の属する技術分野】
本発明は、特に、ヘアーワックスにより整髪する場合に利用する櫛に関するものである。
【０００２】
【従来の技術】
一般に使用されている櫛においては、把持部の基部から延設した複数の櫛歯を並設した一つの櫛歯群を備えているだけである。
【０００３】
【発明が解決しようとする課題】
このような櫛を利用してヘアーワックスにより整髪する場合、髪型に各種変化を持たせにくいので、使用者は指により頭髪を直接把持して髪型に各種変化を持たせているのが現状である。しかし、使用者の指にヘアーワックスが付着してしまうので、整髪後に指のヘアーワックスを洗浄するのが面倒である。
【０００４】
この発明は、できるだけ櫛のみにより髪型に各種変化を持たせ易くし、特にヘアーワックスにより整髪する場合に有効な櫛を提供することを目的としている。
【０００５】
【課題を解決するための手段及び発明の効果】
後記実施形態の図面（図１〜４）の符号を援用して本発明を説明する。
＊  請求項１の発明
この発明にかかる櫛においては、基部（２）から延設した複数の櫛歯（５）を並設した複数の櫛歯群（３，４）を、各櫛歯（５）の並設方向（Ｘ）と各櫛歯（５）の延設方向（Ｚ）とにそれぞれ直交する各櫛歯（５）の幅方向（Ｙ）へ互いに並設し、互いに隣接する両櫛歯群（３，４）の櫛歯（５）にあっては頭髪を掴むことができる挟持面（１７）を幅方向（Ｙ）で互いに面して設けた。この発明では、複数の櫛歯群（３，４）を幅方向（Ｙ）へ互いに並設したので、整髪する場合、各櫛歯群（３，４）により頭髪を順次梳くことができるとともに、両櫛歯群（３，４）の挟持面（１７）間により頭髪を掴んで捻ることもできる。そのため、髪型に各種変化を持たせ易くなる。特に、ヘアーワックスにより整髪する場合に有効である。
【０００６】
＊  請求項２の発明
この発明にかかる櫛においては、基部（２）から延設した複数の櫛歯（５）を並設した複数の櫛歯群（３，４）を、各櫛歯（５）の並設方向（Ｘ）と各櫛歯（５）の延設方向（Ｚ）とにそれぞれ直交する各櫛歯（５）の幅方向（Ｙ）へ互いに溝（６）をあけて並設した。この発明では、複数の櫛歯群（３，４）を幅方向（Ｙ）へ互いに並設したので、整髪する場合、各櫛歯群（３，４）により頭髪を順次梳くことができるとともに、各櫛歯群（３，４）を通った頭髪を各櫛歯群（３，４）間の溝（６）で曲げることもできる。そのため、髪型に各種変化を持たせ易くなる。特に、ヘアーワックスにより整髪する場合に有効である。
【０００７】
＊  請求項３の発明
この発明にかかる櫛においては、基部（２）から延設した複数の櫛歯（５）を並設した複数の櫛歯群（３，４）を、各櫛歯（５）の並設方向（Ｘ）と各櫛歯（）の延設方向（Ｚ）とにそれぞれ直交する各櫛歯（５）の幅方向（Ｙ）へ互いに並設し、この櫛歯群（３，４）の櫛歯（５）は幅方向（Ｙ）へ撓み得る弾性を有している。例えば、この櫛歯（５）が幅方向（Ｙ）ばかりではなくさらに並設方向（Ｘ）へも撓み得る弾性を持つようにしてもよい。この発明では、複数の櫛歯群（３，４）を幅方向（Ｙ）へ互いに並設したので、整髪する場合、各櫛歯群（３，４）により頭髪を順次梳くことができるとともに、各櫛歯群（３，４）を通った頭髪を櫛歯（５）の撓みにより曲げることもできる。そのため、髪型に各種変化を持たせ易くなる。特に、ヘアーワックスにより整髪する場合に有効である。
【０００８】
＊  請求項４の発明（請求項１と請求項２と請求項３とを組み合わせた発明）
この発明にかかる櫛においては、基部（２）から延設した複数の櫛歯（３，４）を並設した複数の櫛歯群（３，４）を、各櫛歯（５）の並設方向（Ｘ）と各櫛歯（５）の延設方向（Ｚ）とにそれぞれ直交する各櫛歯（５）の幅方向（Ｙ）へ互いに挟持溝（６）をあけて並設し、互いに隣接する両櫛歯群（３，４）の櫛歯（５）にあっては頭髪を掴むことができる挟持面（１７）を幅方向（Ｙ）で挟持溝（６）をあけて互いに面して設け、この櫛歯群（３，４）の櫛歯（５）は幅方向（Ｙ）へ撓み得る弾性を有している。ちなみに、各櫛歯群（３，４）の形状及び大きさを完全に一致させたり、互いに隣接する両櫛歯群（３，４）の各櫛歯（５）間で互いに面する両櫛歯（５）やこの両櫛歯（５）間の隙間（１０）をそれぞれ完全に相対向させたりする必要はなく、この両櫛歯群（３，４）の各櫛歯（５）及び各隙間（１０）の形状や大きさを互いに変更したりして、適宜配置してもよい。
【０００９】
この発明では、複数の櫛歯群（３，４）を幅方向（Ｙ）へ互いに並設したので、整髪する場合、各櫛歯群（３，４）により頭髪を順次梳くことができるとともに、各櫛歯群（３，４）間の挟持溝（６）で櫛歯群（３，４）の挟持面（１７）により頭髪を掴んで捻ったり、各櫛歯群（３，４）を通った頭髪を各櫛歯群（３，４）間の挟持溝（６）で曲げたり、各櫛歯群（３，４）を通った頭髪を櫛歯（５）の撓みにより曲げたりすることもできる。そのため、髪型に各種変化をより一層持たせ易くなり、ヘアーワックスにより整髪する場合に特に有効である。
【００１０】
＊  請求項５の発明
この発明は、請求項４の発明を前提として下記のように構成されている。
前記各櫛歯群（３，４）のうち各櫛歯（５）の幅方向（Ｙ）で最も外側となる両櫛歯群（３，４）は、櫛歯群（３，４）の櫛歯（５）を幅方向（Ｙ）で挟持溝（６）側へ撓ませる場合に指を当てがうことができる押圧操作部（１２）を有している。この発明では、この押圧操作部（１２）を使用者が積極的に操作して、櫛歯群（３，４）の挟持面（１７）により頭髪を容易に掴むことができる。例えば、この押圧操作部（１２）の外側に凹凸状などの操作位置表示目印（１２ａ）を形成すれば、使用者は押圧操作部（１２）の位置を判別し易くなってより一層容易に頭髪を掴むことができる。
【００１１】
＊  請求項６の発明
この発明は、請求項１から請求項５のうちいずれかの請求項の発明を前提として下記のように構成されている。
【００１２】
前記櫛歯群（３，４）は各櫛歯（５）の幅方向（Ｙ）で互いに面して一対並設されている。ちなみに、前記押圧操作部（１２）はこの両櫛歯群（３，４）の外側に形成されている。この発明は、櫛の構造を簡単にすることができる。
【００１３】
＊  第７の発明（請求項１と請求項２とを組み合わせた発明）
基部（２）から延設した複数の櫛歯（５）を並設した複数の櫛歯群（３，４）を、各櫛歯（５）の並設方向（Ｘ）と各櫛歯（５）の延設方向（Ｚ）とにそれぞれ直交する各櫛歯（５）の幅方向（Ｙ）へ互いに挟持溝（６）をあけて並設し、互いに隣接する両櫛歯群（３，４）の櫛歯（５）にあっては頭髪を掴むことができる挟持面（１７）を幅方向（Ｙ）で挟持溝（６）をあけて互いに面して設けた。この発明では、請求項１の発明の効果と請求項２の発明の効果とをそれぞれ奏し、髪型に各種変化を持たせ易くなり、ヘアーワックスにより整髪する場合に特に有効である。
【００１４】
＊  第８の発明（請求項１と請求項３とを組み合わせた発明）
基部（２）から延設した複数の櫛歯（５）を並設した複数の櫛歯群（３，４）を、各櫛歯（５）の並設方向（Ｘ）と各櫛歯（５）の延設方向（Ｚ）とにそれぞれ直交する各櫛歯（５）の幅方向（Ｙ）へ互いに並設し、互いに隣接する両櫛歯群（３，４）の櫛歯（５）にあっては頭髪を掴むことができる挟持面（１７）を幅方向（Ｙ）で互いに面して設け、この櫛歯群（３，４）の櫛歯（５）は幅方向（Ｙ）へ撓み得る弾性を有している。この発明では、請求項１の発明の効果と請求項３の発明の効果とをそれぞれ奏し、髪型に各種変化を持たせ易くなり、ヘアーワックスにより整髪する場合に特に有効である。
【００１５】
＊  第９の発明（請求項２と請求項３とを組み合わせた発明）
基部（２）から延設した複数の櫛歯（５）を並設した複数の櫛歯群（３，４）を、各櫛歯（５）の並設方向（Ｘ）と各櫛歯（５）の延設方向（Ｚ）とにそれぞれ直交する各櫛歯（５）の幅方向（Ｙ）へ互いに溝（６）をあけて並設し、この櫛歯群（３，４）の櫛歯（５）は幅方向（Ｙ）へ撓み得る弾性を有している。この発明では、請求項２の発明の効果と請求項３の発明の効果とをそれぞれ奏し、髪型に各種変化を持たせ易くなり、ヘアーワックスにより整髪する場合に特に有効である。
【００１６】
＊  第１０の発明
この発明は、請求項４の発明を前提として下記のように構成されている。
前記櫛歯群（３，４）は各櫛歯（５）の幅方向（Ｙ）で互いに面して一対並設されている。この両櫛歯群（３，４）の外側には、それぞれ、各櫛歯（５）を幅方向（Ｙ）で挟持溝（６）側へ撓ませる押圧操作部（１２）を設けている。この発明では、櫛の構造を簡単にすることができるとともに、この押圧操作部（１２）を使用者が積極的に操作して、櫛歯群（３，４）の挟持面（１７）により頭髪を容易に掴むことができる。例えば、この押圧操作部（１２）の外側に凹凸状などの操作位置表示目印（１２ａ）を形成すれば、使用者は押圧操作部（１２）の位置を判別し易くなってより一層容易に頭髪を掴むことができる。この両櫛歯群（３，４）の押圧操作部（１２）については、複数の櫛歯（５）の基端部（１１）で互いに連結し、各櫛歯（５）の幅方向（Ｙ）で挟持溝（６）をあけて互いに面するようにすれば、使用者はこの押圧操作部（１２）で各櫛歯（５）を一括して撓ませることができ、より一層容易に頭髪を掴むことができる。
【００１７】
＊  第１１の発明
この発明は、第１０の発明を前提として下記のように構成されている。
前記両櫛歯群（３，４）の押圧操作部（１２）は、各櫛歯（５）のうちその並設方向（Ｘ）の両側にある両側櫛歯（８）で挟まれた中間櫛歯（９）の基端部（１１）を互いに連結したものである。この発明では、使用者は中間櫛歯（９）の押圧操作部（１２）で中間櫛歯（９）のみを一括して撓ませることができ、より一層容易に頭髪を掴むことができるばかりではなく、中間櫛歯（９）が両側櫛歯（８）に対し相対動するため、髪型に各種変化をより一層持たせ易くなる。
【００１８】
＊  第１２の発明（図４参照）
この発明は、第１１の発明を前提として下記のように構成されている。
前記両櫛歯群（３，４）で挟持溝（６）をあけて互いに面する各櫛歯（５）間のうち少なくとも前記両中間櫛歯（９）間にあって互いに面する部分、例えば挟持面（１７）に凹凸部（凹部１４ｂ、凸部１４ａ）を設けた。この発明では、この凹凸部（１４ｂ，１４ａ）により髪型に各種変化をより一層持たせ易くなる。
【００１９】
＊  第１３の発明
この発明は、第１１の発明または第１２の発明を前提として下記のように構成されている。
【００２０】
前記両側櫛歯（８）と中間櫛歯（９）とにあって互いに面する部分に凹凸部（凹溝１５ａ，凸部１５ｂ）を設けた。この発明では、この凹凸部（１５ａ，１５ｂ）により髪型に各種変化をより一層持たせ易くなる。また、この凹凸部（１５ａ，１５ｂ）により、櫛歯（５）に並設方向（Ｘ）の薄肉部分が形成された場合には、その部分で櫛歯（５）が並設方向（Ｘ）へ撓み易くなる。
【００２１】
＊  第１４の発明
この発明は、第１０の発明または第１１の発明または第１２の発明または第１３の発明を前提として下記のように構成されている。
【００２２】
前記両櫛歯群（３，４）の各櫛歯（５）は各櫛歯（５）の幅方向（Ｙ）で挟持溝（６）をあけて相対向し、相対向する両櫛歯（５）の先端部（１３）側が挟持面（１７）として互いに当接し得る。この発明では、両櫛歯（５）の先端部（１３）にある挟持面（１７）で頭髪を確実に掴むことができる。
【００２３】
＊  第１５の発明
この発明は、第１０の発明または第１１の発明または第１２の発明または第１３の発明または第１４の発明を前提として下記のように構成されている。
【００２４】
前記両櫛歯群（３，４）の各櫛歯（５）間に設けた隙間（１０）にあって各櫛歯（５）の先端部（１３）から基端部（１１）までの深さ（Ｄ８，Ｄ９）を複数種類の深さ（Ｄ８，Ｄ９）に設定した。この発明では、髪型に各種変化をより一層持たせ易くなる。
【００２５】
＊  第１６の発明
この発明は、第１０の発明を前提として下記のように構成されている。
前記両櫛歯群（３，４）にあって、各櫛歯（５）のうちその並設方向（Ｘ）の両側にある両側櫛歯（８）で挟まれた中間櫛歯（９）の先端部（１３）は、この両側櫛歯（８）の先端部（１３）よりもそれらの先端部（１３）側向きへ突出している。例えば、この中間櫛歯（９）の先端部（１３）と両側櫛歯（８）の先端部（１３）とを結ぶ線分（Ｌ）はほぼ円弧を描く。この発明では、髪型に各種変化をより一層持たせ易くなる。
【００２６】
＊  第１７の発明
この発明は、第１０の発明または第１６の発明を前提として下記のように構成されている。
【００２７】
前記両櫛歯群（３，４）にあって、各櫛歯（５）のうちその並設方向（Ｘ）の両側にある両側櫛歯（８）で挟まれた各中間櫛歯（９）の先端部（１３）間の隙間（１０）の間隔（Ｗ９）は、この両側櫛歯（８）の先端部（１３）と中間櫛歯（９）の先端部（１３）との間の隙間（１０）の間隔（Ｗ８）よりも狭く設定されている。この発明では、髪型に各種変化をより一層持たせ易くなる。
【００２８】
＊  第１８の発明
この発明は、第１０の発明または第１１の発明または第１２の発明または第１３の発明または第１４の発明または第１５の発明または第１６の発明または第１７の発明を前提として下記のように構成されている。
【００２９】
前記基部（２）には挟持溝（６）に連続する可撓助長部（例えば盗み空間７）を設けた。この発明では、櫛歯（５）を撓ませ易くなる。
＊  第１９の発明
この発明は、第１０の発明または第１１の発明または第１２の発明または第１３の発明または第１４の発明または第１５の発明または第１６の発明または第１７の発明または第１８の発明を前提として下記のように構成されている。
【００３０】
前記基部（２）から各櫛歯（５）の延設方向（Ｚ）へ延びる把持部（１）を設けた。この発明では、整髪を行い易くなる。
＊  第２０の発明
この発明は、第１０の発明または第１１の発明または第１２の発明または第１３の発明または第１４の発明または第１５の発明または第１６の発明または第１７の発明または第１８の発明または第１９の発明を前提として下記のように構成されている。
【００３１】
互いに隣接する両櫛歯（５）の基端部（１１）間における隙間（１０）に連続する基部（２）には、隙間（１０）側向きへ向かうほど厚みを小さくする面（１６）を形成した。この発明では、櫛歯（５）を撓ませ易くなるとともに、各櫛歯群（３，４）により頭髪を梳く場合に頭髪の通りを良くすることができる。
【００３２】
【発明の実施の形態】
以下、本発明の一実施形態にかかる櫛について図１〜３を参照して説明する。
この櫛は、「無造作」という名称を付与されたものであって、合成樹脂などにより一体的に成形され、把持部１の基部２から延設された複数の櫛歯５を並設した一対の櫛歯群３，４を有している。この両櫛歯群３，４は、各櫛歯５の並設方向Ｘと各櫛歯５の延設方向Ｚとにそれぞれ直交する各櫛歯５の幅方向Ｙで、互いに挟持溝６をあけて面するように並設されている。前記把持部１は基部２から各櫛歯５の延設方向Ｚへ延びている。この基部２の内側には挟持溝６に連続する盗み空間７（可撓助長部）が形成されている。
【００３３】
前記両櫛歯群３，４の各櫛歯５は、それぞれ、各櫛歯５の並設方向Ｘの両側に一本ずつある側櫛歯８と、この両側櫛歯８で挟まれた複数の中間櫛歯９とを有している。この両側櫛歯８、各中間櫛歯９及びそれらの櫛歯８，９間の隙間１０については、各櫛歯５の並設方向Ｘの幅寸法を同一にして両櫛歯群間３，４間で相対向させている。この両櫛歯群３，４において両側櫛歯８間で各中間櫛歯９の基端部１１が互いに連結されて押圧操作部１２が各櫛歯５の幅方向Ｙで互いに挟持溝６をあけて位置するように形成されている。この両押圧操作部１２の外側には凹凸状の操作位置表示目印１２ａが形成されている。この両押圧操作部１２のうち一方の櫛歯群３で押圧操作部１２の内側には凹み１２ｂが形成され、一方の櫛歯群３の押圧操作部１２の厚みが他方の櫛歯群４の押圧操作部１２の厚みよりも薄くなっている。
【００３４】
各中間櫛歯９間の隙間１０にあって先端部１３から基端部１１までの深さＤ９は、両側櫛歯８と中間櫛歯９との間の隙間１０にあって先端部１３から基端部１１までの深さＤ８よりも浅く設定されている。各中間櫛歯９の先端部１３は両側櫛歯８の先端部１３よりもそれらの先端部１３側向きへ突出し、この中間櫛歯９の先端部１３と両側櫛歯８の先端部１３とを結ぶ線分Ｌは把持部１上の中心点Ｏを中心とする円弧を描く。各中間櫛歯９の先端部１３間における隙間１０の間隔Ｗ９は、この両側櫛歯８の先端部１３と中間櫛歯９の先端部１３との間における隙間１０の間隔Ｗ８よりも狭く設定されている。両側櫛歯８と各中間櫛歯９とにあって並設方向Ｘで互いに面する部分には断面半円状の凹溝１５ａ（凹部）とそれらの間の凸部１５ｂとが延設方向Ｚへ交互に形成されている。各中間櫛歯９の基端部１１間における隙間１０に連続する基部２と、両側櫛歯８の基端部１１と中間櫛歯９の基端部１１との間における隙間１０に連続する基部２には、それぞれ、隙間１０側向きへ向かうほど厚みが小さなるように斜面１６が形成されている。
【００３５】
両櫛歯群３，４の各櫛歯５（両側櫛歯８及び各中間櫛歯９）は、幅方向Ｙへ撓み得る弾性と、並設方向Ｘへ撓み得る弾性とを有する。そのため、前記両押圧操作部１２を挟持溝６側へ押さえると、両櫛歯群３，４の各中間櫛歯９が挟持溝６側へ互いに撓んで各中間櫛歯９の先端部１３側が互いに当接する。各櫛歯５（両側櫛歯８及び各中間櫛歯９）で挟持溝６をあけて相対向する部分が挟持面１７になっているが、特に、各中間櫛歯９の先端部１３側が頭髪を掴むことができる挟持面１７として機能する。
【００３６】
図４に示す別例では、各中間櫛歯９間またはさらに両側櫛歯８間にあって幅方向Ｙで互いに面する部分には半球状の凸部１４ａとそれらの間の凹部１４ｂとが延設方向Ｚへ交互に形成されている。特に、この凸部１４ａの外面及び凹部１４ｂの外面が頭髪を掴むことができる挟持面１７として機能する。
【００３７】
さて、本実施形態にかかる櫛を利用する場合には、頭髪にヘアーワックスを付けた後、把持部１を把持して両櫛歯群３，４を頭髪に当てがい、両櫛歯群３，４により頭髪を梳きながら、両櫛歯群３，４を各方向（例えば、並設方向Ｘ、幅方向Ｙ、延設方向Ｚ）へ動かしたり、両櫛歯群３，４間の挟持溝６で両櫛歯群３，４の挟持面１７により頭髪を掴んで捻ったりして、髪型に好みの各種変化を付けて整髪する。
【図面の簡単な説明】
【図１】  （ａ）は本実施形態にかかる櫛を示す正面図であり、（ｂ）は同じく側面図である。
【図２】  （ａ）は本実施形態にかかる櫛を正面側から見た断面図であり、（ｂ）は同櫛を側面側から見た断面図である。
【図３】  （ａ）は本実施形態にかかる櫛を示す背面図であり、（ｂ）は同櫛を背面側から見た断面図であり、（ｃ）（ｄ）は各櫛歯の基端部を示す部分断面である。
【図４】  （ａ）は本実施形態の別例にかかる櫛を正面側から見た断面図であり、（ｂ）は同櫛を側面側から見た断面図である。
【符号の説明】
２…基部、３，４…櫛歯群、５…櫛歯、６…挟持溝、１２…押圧操作部、１７…挟持面、Ｘ…並設方向、Ｙ…幅方向、Ｚ…延設方向。
【図１】
0003978330.tif 000002
【図２】
0003978330.tif 000003
【図３】
0003978330.tif 000004
【図４】
0003978330.tif 000005